(57)【要約】【課題】ユーザーの簡単な操作で手間を掛けずに、例えば両面原稿の画像を読み取るときの裏写りを防止したり、白色異形原稿の外形形状をはっきりと読み取ったりし得るようにする。【解決手段】複写機本体１０に原稿押え装置１４を設ける。原稿押え装置は、ヒンジ１５で圧板１６を複写機本体１０上に開閉自在に取り付ける。圧板には、鉤状の掛止部を前後に対向して備え、その掛止部で掛け止めて裏当てユニット２０を設ける。裏当てユニットは、板状の支持体２１両面にフリクションシートを設けて表裏に裏当て面を有する。そして、例えば表側のフリクションシート２２の裏当て面を白色とし、裏側のフリクションシート２３の裏当て面を黒色とする。支持体の前後には、被掛止部を設ける。そして、それら被掛止部にそれぞれ掛止部を掛け止めて裏当てユニットを圧板に対して着脱自在とし、反転して取り付け可能とする。【選択図】      図１
2005121942.tif 000002
【特許請求の範囲】
【請求項１】
裏当て面を有するフリクションシートを圧板に取り付け、読取り面上の原稿を前記裏当て面で裏当てして前記フリクションシートを介して前記圧板で押さえる原稿押え装置において、
前記フリクションシートを支持体の両面に設けて前記裏当て面を表裏に有する裏当てユニットを形成し、その裏当てユニットを前記圧板に対して着脱自在に備えることを特徴とする、原稿押え装置。
【請求項２】
裏当て面を有するフリクションシートを圧板に取り付け、読取り面上の原稿を前記裏当て面で裏当てして前記フリクションシートを介して前記圧板で押さえる原稿押え装置において、
シート状の裏当て部材を、格納状態と、その格納状態から引き出して前記裏当て面を被って第２の裏当て面を形成する使用状態とに開閉自在に備えることを特徴とする、原稿押え装置。
【請求項３】
原稿搬送ベルトで原稿を読取り位置へと搬送し、その読取り位置で裏当てして読取り面上に押さえ付け、画像読取り後の原稿を前記読取り位置からスタック位置へと排出する原稿押え装置において、
シート状の裏当て部材を、格納状態と、その格納状態から引き出して前記原稿搬送ベルトを被って第２の裏当て面を形成する使用状態とに開閉自在に備えることを特徴とする、原稿押え装置。
【請求項４】
前記裏当て部材を無端ベルトに取り付け、その無端ベルトを走行することにより開閉自在に備えることを特徴とする、請求項２または３に記載の原稿押え装置。
【請求項５】
前記無端ベルトが前記原稿搬送ベルトであることを特徴とする、請求項４に記載の原稿押え装置。
【請求項６】
請求項１ないし５のいずれか１に記載の原稿押え装置を備えることを特徴とする、画像読取装置。
【請求項７】
画像読取装置本体と前記原稿押え装置との間に、それらの間隔を拡げる間隔拡大装置を備えることを特徴とする、請求項６に記載の画像読取装置。
【請求項８】
請求項６または７に記載の画像読取装置を備えることを特徴とする、画像形成装置。
【発明の詳細な説明】
【技術分野】
【０００１】
この発明は、読取り面上にセットした原稿の画像情報を読み取る画像読取装置に関する。および、そのような画像読取装置を備えるとともに、シート・ＯＨＰフィルム等の記録媒体に画像を記録する、複写機、ファクシミリまたはそれらの複合機などの画像形成装置に関する。および、画像読取装置において、読取り面上にセットした原稿を押さえる原稿押え装置に関する。
【背景技術】
【０００２】
例えば複写機には、コピー原稿の画像情報を読み取る画像読取装置を備えている。画像読取装置には、読取り面上にセットしたコピー原稿を上から押さえる原稿押え装置を備える。原稿押え装置は、コピー原稿の画像面を読取り面に密着して波打ちのないきれいなムラのない読取りを可能としたり、地肌部分を均一な背景としたり、また原稿まわりの領域への他のものの写り込みを防止したりする目的で備える。
【０００３】
原稿押え装置には、圧板押え式のものと、自動原稿搬送式のものとがある。
【０００４】
圧板押え式の原稿押え装置は、例えば図９に示すように、表面に裏当て面を有するフリクションシート１を板状の支持体２の表面に張り渡して圧板３に取り付けて構成し、複写機本体４上に開閉自在に備える。複写機本体４は、上面にコンタクトガラス５を設けてその表面に読取り面５ａを形成し、コピー時にその読取り面５ａ上にコピー原稿ｄをセットして圧板3を閉じ、裏当て面で裏当てしてフリクションシート１を介して押さえる。
【０００５】
自動原稿搬送式の原稿押え装置は、例えば図１０に示すように、筐体６内に設ける複数のローラ７に原稿搬送ベルト８を掛けまわし、ローラ７を駆動する駆動モータ９を備えて構成し、複写機本体４上に開閉自在に備える。そして、コピー時は、同様に読取り面５ａ上にコピー原稿をセットして原稿押え装置を閉じ、原稿搬送ベルト８で裏当てして押さえる。または、筐体６の原稿台上に原稿をセットして駆動モータ９を駆動し、ローラ７を回転して原稿搬送ベルト８を走行し、コピー原稿を読取り位置へと搬送し、その読取り位置で裏当てして読取り面５ａ上に押し付け、読取り後のコピー原稿を読取り位置からスタック位置へと排出する。
【０００６】
このような原稿押え装置において、フリクションシート１や原稿搬送ベルト８などの裏当て部材が汚れると、原稿まわりにあるその汚れを読み取ったり、薄い原稿である場合には原稿を透してその汚れを読み取ったりして、画像読取装置の読取品質を低下することとなる。
【０００７】
よって、従来の画像読取装置の中には、例えば図９に示すように、圧板３から支持体２を取り外してフリクションシート１を新しいものと交換可能とするものはある。
【特許文献１】特開平４-２２１８３号公報
【特許文献２】特開平５-１８８４９１号公報
【発明の開示】
【発明が解決しようとする課題】
【０００８】
ところで、昨今では、複写機に表裏両面コピーモードを備えるものが多くなってきており、表裏両面に画像情報を有する原稿をコピーする機会が多くなってきている。
【０００９】
このような両面原稿をコピーする場合、通常の白色の裏当て部材を用いると、読取り光が原稿を透過して裏当て面で反射し、その反射光が原稿を再透過することにより原稿裏面の画像情報までも読み取ってしまい、裏写りして読取り品質を低下することがある問題があった。
【００１０】
また、通常の白色の裏当て部材で裏当てして地肌が白色の原稿を読み取ると、原稿の外形形状を明確に読み取ることができない問題があった。
【００１１】
このような問題は、黒色の裏当て部材を用いることにより、改善することができる。しかし、画像読取装置のまわりに常時黒色の裏当て部材を備え付けておくことは、保管が面倒であるとともに、必要に応じてその裏当て部材を組み付けることも面倒であった。
【００１２】
そこで、この発明の目的は、ユーザーの簡単な操作で手間を掛けずに、例えば両面原稿の画像を読み取るときの裏写りを防止したり、白色異形原稿の外形形状をはっきりと読み取ったりし得るようにすることにある。
【課題を解決するための手段】
【００１３】
かかる目的を達成すべく、第１の発明は、裏当て面を有するフリクションシートを圧板に取り付け、読取り面上の原稿を前記裏当て面で裏当てして前記フリクションシートを介して前記圧板で押さえる原稿押え装置において、前記フリクションシートを支持体の両面に設けて前記裏当て面を表裏に有する裏当てユニットを形成し、その裏当てユニットを前記圧板に対して着脱自在に備える、ことを特徴とする。
【００１４】
そして、表側の例えば白色の裏当て面を使用している場合、裏写りのおそれがあるときや、白色原稿の外形形状をはっきり読み取りたいときなどには、圧板から裏当てユニットを取り外し、反転して再び圧板に取り付け、画像読取装置の読取り面上にセットした原稿を、裏側の例えば黒色の裏当て面で裏当てしてフリクションシートを介して圧板で上から押さえる。
【００１５】
第２の発明は、裏当て面を有するフリクションシートを圧板に取り付け、読取り面上の原稿を前記裏当て面で裏当てして前記フリクションシートを介して前記圧板で押さえる原稿押え装置において、シート状の裏当て部材を、格納状態と、その格納状態から引き出して前記裏当て面を被って第２の裏当て面を形成する使用状態とに開閉自在に備える、ことを特徴とする。
【００１６】
そして、表側の例えば白色の裏当て面を使用している場合、裏写りのおそれがあるときや、白色原稿の外形形状をはっきり読み取りたいときなどには、シート状の裏当て部材を格納状態から引き出して使用状態とし、裏当て面を被って例えば黒色の第２の裏当て面を形成し、その第２の裏当て面で、画像読取装置の読取り面上にセットした原稿を裏当てしてフリクションシートを介して圧板で上から押さえる。
【００１７】
第３の発明は、原稿搬送ベルトで原稿を読取り位置へと搬送し、その読取り位置で裏当てして読取り面上に押さえ付け、画像読取り後の原稿を前記読取り位置からスタック位置へと排出する原稿押え装置において、シート状の裏当て部材を、格納状態と、その格納状態から引き出して前記原稿搬送ベルトを被って第２の裏当て面を形成する使用状態とに開閉自在に備える、ことを特徴とする。
【００１８】
そして、表側の例えば白色の裏当て面を使用している場合、裏写りのおそれがあるときや、白色原稿の外形形状をはっきり読み取りたいときなどには、シート状の裏当て部材を格納状態から引き出して使用状態とし、原稿搬送ベルトを被って例えば黒色の第２の裏当て面を形成し、その第２の裏当て面で、画像読取装置の読取り面上にセットした原稿を裏当てして裏当て部材を介して原稿搬送ベルトで上から押さえる。
【００１９】
前記裏当て部材は、例えば無端ベルトに取り付け、その無端ベルトを走行することにより開閉自在に備える。前記無端ベルトとして、例えば原稿搬送ベルトを用いることができる。
【００２０】
第４の発明は、画像読取装置にあって、第１ないし第３の発明に係る原稿押え装置を備える、ことを特徴とする。画像読取装置本体と前記原稿押え装置との間に、それらの間隔を拡げる間隔拡大装置を備えるようにするとよい。
【００２１】
第５の発明は、第４の発明に係る画像読取装置を備える、ことを特徴とする。
【発明の効果】
【００２２】
第１の発明によれば、表側の例えば白色の裏当て面を使用している場合、裏写りを防止し、また白色原稿の外形形状をはっきり読み取りたいときには、圧板から裏当てユニットを取り外して反転して付け替えるだけでよいから、ユーザーの簡単な操作で手間を掛けずに、例えば両面原稿の画像を読み取るときの裏写りを防止したり、白色異形原稿の外形形状をはっきりと読み取ったりすることができる。黒色等の別の色の裏当て部材を別途用意する必要もない。
【００２３】
第２の発明によれば、表側の例えば白色の裏当て面を使用している場合、裏写りを防止し、また白色原稿の外形形状をはっきり読み取りたいときには、シート状の裏当て部材を格納状態から引き出して使用状態とするだけでよいから、スイッチを押すなどのユーザーの簡単な操作で手間を掛けずに、例えば両面原稿の画像を読み取るときの裏写りを防止したり、白色異形原稿の外形形状をはっきりと読み取ったりすることができる。黒色等の別の色の裏当て部材を別途用意する必要もない。
【００２４】
第３の発明によれば、表側の例えば白色の裏当て面を使用している場合、裏写りを防止し、また白色原稿の外形形状をはっきり読み取りたいときには、同様に、シート状の裏当て部材を格納状態から引き出して使用状態とするだけでよいから、スイッチを押すなどのユーザーの簡単な操作で手間を掛けずに、例えば両面原稿の画像を読み取るときの裏写りを防止したり、白色異形原稿の外形形状をはっきりと読み取ったりすることができる。黒色等の別の色の裏当て部材を別途用意する必要もない。
【００２５】
原稿搬送ベルトを、裏当て部材を開閉する無端ベルトとして利用すると、部品点数を少なくするとともに、小型化することができる。
【００２６】
第４の発明によれば、画像読取装置に備える原稿押え装置で、表側の例えば白色の裏当て面を使用している場合、裏写りを防止し、また白色原稿の外形形状をはっきり読み取りたいときには、スイッチを押すなどのユーザーの簡単な操作で手間を掛けずに、例えば両面原稿の画像を読み取るときの裏写りを防止したり、白色異形原稿の外形形状をはっきりと読み取ったりすることができる。黒色等の別の色の裏当て部材を別途用意する必要もない。
【００２７】
画像読取装置本体と原稿押え装置との間隔を拡げる間隔拡大装置を備えると、原稿押え装置を伏せたままで、裏当て部材を使用状態へと移動することが可能となる。
【００２８】
第５の発明によれば、画像形成装置の画像読取装置に備える原稿押え装置で、表側の例えば白色の裏当て面を使用している場合、裏写りを防止し、また白色原稿の外形形状をはっきり読み取りたいときには、スイッチを押すなどのユーザーの簡単な操作で手間を掛けずに、例えば両面原稿の画像を読み取るときの裏写りを防止したり、白色異形原稿の外形形状をはっきりと読み取ったりすることができる。黒色等の別の色の裏当て部材を別途用意する必要もない。
【発明を実施するための最良の形態】
【００２９】
以下、図面を参照しつつ、この発明を実施するための最良の形態につき説明する。
図１には、この発明に係る圧板押え式の原稿押え装置を備える複写機の概略左側面を示す。
【００３０】
図中符号１０は、複写機本体（画像形成装置本体）である。複写機本体１０は、内部に不図示の作像装置を備え、その上に画像読取装置１１を設ける。画像読取装置１１は、上面にコンタクトガラス１２を有する箱型で、内部に光源・ミラー・レンズ・ＣＣＤ等よりなる読取光学系を備え、コンタクトガラス１２上に読取り面１２ａを形成する。複写機本体１０の正面側には上向きに操作表示パネル１３を設け、読取り面１２ａ奥の背面側には原稿押え装置１４を開閉自在に取り付ける。
【００３１】
原稿押え装置１４は、圧板押え式で、図２に示すように、ヒンジ１５で圧板１６を複写機本体１０上に取り付ける。圧板１６には、鉤状の掛止部１７・１８を前後に備え、その掛止部１７・１８で掛け止めて裏当てユニット２０を着脱自在に設け、反転して取り付け可能とする。
【００３２】
裏当てユニット２０は、板状の支持体２１両面にフリクションシート２２・２３を設けて表裏に裏当て面を有する。図示例では、表側のフリクションシート２２の裏当て面を白色とし、裏側のフリクションシート２３の裏当て面を黒色とする。支持体２１の前後には、被掛止部２４・２５を設ける。そして、それら被掛止部２４・２５にそれぞれ掛止部１７・１８を掛け止め、裏当てユニット２０を圧板１６に対して取り付ける。
【００３３】
そして、この複写機を用いてコピーを取るときは、通常は、ヒンジ１５を中心として原稿押え装置１４を開いて読取り面１２ａ上に画像面を下にしてコピー原稿Ｄをセットし、原稿押え装置１４を閉めて読取り面１２ａ上のコピー原稿Ｄを白色の裏当て面で裏当てしてフリクションシート２２を介して圧板１６で押さえる。
【００３４】
その後、操作表示パネル１３のコピースイッチをオンし、画像読取装置１１で画像面の画像情報を読み取ってその読取り信号を作像装置に送り、作像装置に画像を形成する一方、それにタイミングを合わせてカセット内から記録媒体を送り出し、その記録媒体に、作像装置で形成した画像を転写し、不図示のトレイ上に排出する。
【００３５】
このとき、例えば裏写りのおそれがあるときや、白色原稿の外形形状をはっきり読み取りたいときなどには、原稿押え装置１４を開いて例えば掛止部１７を付勢力に抗してスライドしたり回動したりすることにより、図２に示すように圧板１６から裏当てユニット２０を取り外し、反転して再び圧板１６に取り付け、原稿押え装置１４を閉じて画像読取装置１１の読取り面上にセットした原稿を、裏側の黒色の裏当て面で裏当てしてフリクションシート２３を介して圧板１６で上から押さえる。
【００３６】
このようにすると、圧板１６から裏当てユニット２０を取り外して反転して付け替えるだけでよいから、ユーザーの簡単な操作で手間を掛けずに、例えば両面原稿の画像を読み取るときの裏写りを防止したり、白色異形原稿の外形形状をはっきりと読み取ったりすることができる。複写機まわりに、黒色の裏当て部材を別途用意する必要もない。
【００３７】
フリクションシート２２・２３が汚れたときは、裏当てユニット２０を取り外し、新しいものと交換したり、フリクションシート２２・２３を張り直したりする。
【００３８】
図３には、この発明に係る圧板押え式の原稿押え装置の他例を示す。（Ａ）はシート状の裏当て部材が格納状態にあるとき、（Ｂ）はその裏当て部材を使用状態へ移動するときの状態を示す。
【００３９】
図中符号３０は、図１に示すような不図示の圧板に固定して取り付けるフリクションシートである。フリクションシート３０は、表面に白色の裏当て面を有する。その裏当て面を挟んでフリクションシート３０の左右には、圧板で回転自在に支持してそれぞれ回転軸３１・３２を設ける。左側の回転軸３１上には前後にプーリ３３を固定し、右側の回転軸３２にも前後にプーリ３４を固定する。そして、それぞれの前側（圧板開き側）のプーリ３３・３４には無端ベルト３５を掛けまわし、後側（圧板支点側）のプーリ３３・３４には別の無端ベルト３６を掛けまわす。
【００４０】
両無端ベルト３５・３６の右側前後対応する位置には、それぞれシート状の裏当て部材３７の引出し側コーナーを取り付ける。裏当て部材３７は、黒色表面を有し、フリクションシート３０の右側格納位置で、例えば不図示の巻取り軸に巻き付けて格納する。他方、左側の回転軸３１の前側には、プーリ３３の手前にプーリ３８を固定し、駆動モータ４０の駆動軸上に固定するプーリ４１との間に伝達ベルト４２を掛けまわす。
【００４１】
そして、通常時は、裏当て部材３７を開いて（Ａ）に示す格納状態とし、コピー時は圧板を閉じ、読取り面上の原稿を白色の裏当て面で裏当てしてフリクションシート３０を介して圧板で押える。
【００４２】
ところが、例えば裏写りのおそれがあるときや、白色原稿の外形形状をはっきり読み取りたいときなどには、操作表示パネルに設けるスイッチを操作するなどして駆動モータ４０を駆動し、伝達ベルト４２を介して回転軸３１を回転し、回転軸３２を従動回転しながら無端ベルト３５・３６を同期して回転し、（Ｂ）に示すように裏当て部材３７を格納状態から引き出して閉じる方向に走行し、最終的に白色の裏当て面を完全に被って黒色の裏当て面を形成する使用状態とする。そして、圧板を閉じ、その黒色の裏当て面で裏当てしてフリクションシート３０を介して圧板で上から押さえる。
【００４３】
このようにすると、シート状の裏当て部材３７を格納状態から引き出して使用状態とするだけでよいから、スイッチを押すなどのユーザーの簡単な操作で手間を掛けずに、例えば両面原稿の画像を読み取るときの裏写りを防止したり、白色異形原稿の外形形状をはっきりと読み取ったりすることができる。複写機まわりに、黒色の裏当て部材を別途用意する必要もない。
【００４４】
裏当て部材３７を使用状態から格納状態に戻すときには、駆動モータ４０を逆駆動して無端ベルト３５・３６を逆向きに走行し、例えば巻き戻す方向に付勢する巻取り軸で裏当て部材３７を巻き取って、再度（Ａ）で示すように完全に開く。
【００４５】
図４には、この発明に係る自動原稿搬送式の原稿押え装置を備える複写機の概略正面を示す。
【００４６】
上述した例と同様に、図中符号１０は、複写機本体（画像形成装置本体）である。複写機本体１０は、同じく、内部に作像装置を備え、その上に画像読取装置を設ける。画像読取装置の上面には、コンタクトガラスを設置し、その表面に読取り面を形成する。複写機本体１０の正面側には上向きに操作表示パネル１３を設け、読取り面奥の背面側には原稿押え装置４４を開閉自在に取り付ける。
【００４７】
この原稿押え装置４４は、自動原稿搬送式で、筐体４５内に設ける２つの平行ローラ４６・４７間に表面白色の原稿搬送ベルト４８を掛けまわし、左側の駆動ローラ４６を駆動する駆動モータ５０（図４では図示省略）を備えて構成し、複写機本体１０上に備える。
【００４８】
図５には、原稿押え装置４４の内部構成を示す。
この図５から判る通り、左側の駆動ローラ４６のローラ軸上には前後にプーリ５１を固定し、右側の従動ローラ４７のローラ軸にも前後にプーリ５２を固定する。そして、それぞれの前側（圧板開き側）のプーリ５１・５２には無端ベルト５３を掛けまわし、後側（圧板支点側）のプーリ５１・５２には別の無端ベルト５４を掛けまわす。
【００４９】
両無端ベルト５３・５４の右側前後対応する位置には、それぞれシート状の裏当て部材３７のコーナーを取り付ける。裏当て部材３７は、黒色表面を有し、原稿搬送ベルト４８の右側格納位置で、例えば不図示の巻取り軸に巻き付けて格納する。他方、左側のローラ軸の前側には、プーリ５１の手前にプーリ５５を固定し、駆動モータ５０の駆動軸上に固定するプーリ５６との間に伝達ベルト５７を掛けまわす。
【００５０】
ところで、図４に示す複写機では、複写機本体１０と原稿押え装置４４との間に、それらの間隔を拡げる間隔拡大装置を備える。間隔拡大装置は、複写機本体１０または原稿押え装置４４の四隅に突出ピン５８を設け、ソレノイド等を駆動することによりそれらの突出ピン５８を突出して原稿押え装置４４を突き上げ、平行移動して図６や図７に示すように複写機本体１０との間隔を拡げることができるようにする。
【００５１】
そして、通常コピー時は、裏当て部材３７を開いて格納状態とし、特にブック原稿などの場合には、複写機本体１０の読取り面上にコピー原稿をセットして原稿押え装置４４を閉じ、読取り面上の原稿を白色の原稿搬送ベルト４８で裏当てして押さえる。または、シート原稿の場合には、閉じた状態の原稿押え装置４４の原稿台５９上に原稿をセットし、駆動モータ５０を駆動してローラ４６・４７を回転し、原稿搬送ベルト４８を走行してコピー原稿を読取り位置へと搬送し、その読取り位置で裏当てして読取り面上に押し付け、読取り後のコピー原稿を読取り位置からスタック位置へと排出する。なお、このときは、クラッチ６０をオフして駆動モータ５０の駆動力が両無端ベルト５３・５４に伝わらないようにする。
【００５２】
ところが、例えば裏写りのおそれがあるときや、白色原稿の外形形状をはっきり読み取りたいときなどには、例えば操作表示パネル１３に設けるスイッチを操作する。すると、スイッチ操作等に連動して間隔拡大装置を作動し、突出ピン５８を突出して原稿押え装置４４を突き上げ、複写機本体１０との間隔を拡げてはじめは図６に示すように大きな間隔Ｈ1を形成する。
【００５３】
その後、駆動モータ５０を駆動するとともにクラッチ６０をオンし、伝達ベルト５７を介して駆動ローラ４６を回転し、従動ローラ４７を従動回転しながら無端ベルト５３・５４を同期して回転し、図５に示すように裏当て部材３７を格納状態から引き出して閉じる方向に走行し、最終的に白色の原稿搬送ベルト４８を完全に被って黒色の裏当て面を形成する使用状態とする。
【００５４】
裏当て部材３７を使用状態としてから、再び間隔拡大装置を自動的に作動して突出ピン５８の突出量を少なくし、複写機本体１０との間隔を少し狭めて図７に示すように小さな間隔Ｈ2とする。そして、黒色の裏当て面で裏当てして、複写機本体１０の読取り面上にセットした原稿を裏当て部材３７を介して原稿搬送ベルト４８で上から押さえる。
【００５５】
このようにすると、シート状の裏当て部材３７を格納状態から引き出して使用状態とするだけでよいから、スイッチを押すなどのユーザーの簡単な操作で手間を掛けずに、例えば両面原稿の画像を読み取るときの裏写りを防止したり、白色異形原稿の外形形状をはっきりと読み取ったりすることができる。複写機まわりに、黒色の裏当て部材を別途用意する必要もない。
【００５６】
また、複写機本体１０と原稿押え装置４４との間隔を拡げる間隔拡大装置を備えると、原稿押え装置４４を伏せたままで、読取り面を擦ったりすることなく、裏当て部材３７を使用状態へと移動することが可能となる。
【００５７】
そして、裏当て部材３７を使用状態から格納状態に戻すときには、駆動モータ５０を逆駆動するとともにクラッチ６０をオンして無端ベルト５３・５４を逆向きに走行し、巻き戻す方向に付勢する巻取り軸で裏当て部材３７を巻き取って開く。その後、突出ピン５８を、複写機本体１０または原稿押え装置４４内に引っ込める。
【００５８】
さて、上述した自動原稿搬送式の原稿押え装置では、原稿搬送ベルト４８とは別に無端ベルト５３・５４を設けてそれにシート状の裏当て部材３７の引出し側コーナーを取り付けた。しかし、図８（Ａ）に示すように、無端ベルト５３・５４に代えて原稿搬送ベルト４８に掛け止めて裏当て部材３７を開閉するようにしてもよい。
【００５９】
例えば図示するように、原稿搬送ベルト４８の両側対応する位置に係合部６２を設け、それらの係合部６２に適宜命令により係脱するフック部６３を裏当て部材３７のコーナーに取り付けるようにする。そして、図８（Ａ）に示すように格納状態にある裏当て部材３７を使用状態とするときは、命令に基づき係合部６２にフック部６３を係合して原稿搬送ベルト４８を（Ｂ）に示すように閉じる方向に走行する。裏当て部材３７を使用状態から格納状態に戻すときには、同様に不図示の駆動モータを逆駆動して原稿搬送ベルト４８を反対に開く方向に走行する。
【００６０】
このように原稿搬送ベルト４８を、裏当て部材３７を開閉する無端ベルトとしても利用すると、裏当て部材３７を走行するための専用の無端ベルト５３・５４を不要として、部品点数を少なくするとともに、小型化することができる。
【００６１】
ところで、上述した例では、複写機に備える画像読取装置について説明したが、この発明に係る画像読取装置は、複写機に限らず、ファクシミリなどその他の画像形成装置に備えるものでもよく、また画像形成装置に備えるものではなく、パソコン等に接続して使用する独立した製品であってもよい。裏当て面としては、白色と黒色の例を示したが、これに限らないことはいうまでもない。
【図面の簡単な説明】
【００６２】
【図１】この発明に係る圧板押え式の原稿押え装置を備える複写機の概略左側面図である。
【図２】その原稿押え装置において、圧板から裏当てユニットを取り外した状態説明図である。
【図３】この発明に係る圧板押え式原稿押え装置の他例の内部構成斜視図で、（Ａ）は裏当て部材が格納状態にあるとき、（Ｂ）は使用状態への走行途中の状態にあるときを示す。
【図４】この発明に係る自動原稿搬送式の原稿押え装置を備える複写機の概略正面図である。
【図５】その原稿押え装置の内部構成斜視図である。
【図６】間隔拡大装置を作動し、複写機本体１０と原稿押え装置４４との間に大きな間隔を保持した状態の複写機の概略正面図である。
【図７】間隔拡大装置を作動し、複写機本体１０と原稿押え装置４４との間に小さな間隔を保持した状態の複写機の概略正面図である。
【図８】原稿押え装置の他例の内部構成斜視図で、（Ａ）は裏当て部材が格納状態にあるとき、（Ｂ）は使用状態への走行途中の状態にあるときを示す。
【図９】従来の圧板押え式の原稿押え装置を備える複写機の概略左側面図である。
【図１０】従来の自動原稿搬送式の原稿押え装置を備える複写機の概略左側面図である。
【符号の説明】
【００６３】
１０    複写機本体（画像形成装置本体）
１２    コンタクトガラス
１２ａ  読取り面
１４    原稿押え装置
１６    圧板
２０    裏当てユニット
２１    支持体
２２    フリクションシート
２３    フリクションシート
３０    フリクションシート
３７    裏当て部材
４４    原稿押え装置
４８    原稿搬送ベルト
５３    無端ベルト
５４    無端ベルト
５８    突出ピン
Ｄ      原稿
【図１】
2005121942.tif 000003
【図２】
2005121942.tif 000004
【図３】
2005121942.tif 000005
【図４】
2005121942.tif 000006
【図５】
2005121942.tif 000007
【図６】
2005121942.tif 000008
【図７】
2005121942.tif 000009
【図８】
2005121942.tif 000010
【図９】
2005121942.tif 000011
【図１０】
2005121942.tif 000012